【手続補正書】
【提出日】平成18年7月5日(2006.7.5)
【手続補正１】
【補正対象書類名】明細書
【補正対象項目名】特許請求の範囲
【補正方法】変更
【補正の内容】
【特許請求の範囲】
【請求項１】
撮影画角が９０度以上の超広角レンズにおいて、
物体側から順に、少なくとも負メニスカスレンズ及び正レンズを含んで正の屈折力を有した第１レンズ群、絞り、少なくとも接合レンズ及び正レンズを含んで正の屈折力を有した第２レンズ群を備えるとともに、前記第１レンズ群及び前記第２レンズ群中のいずれかのレンズ面に回折光学面を有し、
レンズ光学系全体の焦点距離をｆ、バックフォーカスをｂｆとしたときに、
１．７＜ｂｆ／ｆ＜４．０
の条件を満たすことを特徴とする超広角レンズ。
【請求項２】
前記回折光学面が前記第１レンズ群中のいずれかのレンズ面に設けられており、前記回折光学面の有効径をＣとしたときに、
１．０＜Ｃ／ｆ＜７．０
の条件を満たすことを特徴とする請求項１記載の超広角レンズ。
【請求項３】
前記回折光学面を有するレンズの焦点距離をｆａとしたときに、
１．０＜｜ｆａ／ｆ｜＜５．０
の条件を満たすことを特徴とする請求項１又は２記載の超広角レンズ。
【請求項４】
前記回折光学面が前記負メニスカスレンズのレンズ面に形成されていることを特徴とする請求項１〜３のいずれか１項に記載の超広角レンズ。
【請求項５】
前記第１レンズ群の最も物体側の位置に前記負メニスカスレンズが位置するとともに、この負メニスカスレンズの像側に隣接して接合負レンズが設けられており、前記負メニスカスレンズの最も物体側に位置するレンズ面は非球面形状に形成され、前記第１レンズ群の焦点距離をｆ１、前記絞りの前後に位置するレンズ面同士の光軸上での間隔をｄとしたときに、
０．０３＜ｄ／ｆ１＜１．０
の条件を満たすことを特徴とする請求項１〜４のいずれか１項に記載の超広角
レンズ。
【請求項６】
前記第1レンズ群の前記接合負レンズは、物体側に位置する両凹レンズとその像側に位置する両凸レンズとの貼り合わせで構成されることを特徴とする請求項５に記載の超広角レンズ。
【請求項７】
前記第1レンズ群の最も物体側の負メニスカスレンズは、物体側の面の半径をｒ１、像側の面の半径をｒ２としたときに、
１．０＜（ｒ１＋ｒ２）／（ｒ１−ｒ２）＜５．０
の条件を満足することを特徴とする請求項１〜６のいずれか１項に記載の超広角レンズ。
【請求項８】
前記第1レンズ群の焦点距離をｆ１としたときに、
１．０＜ｆ１／ｆ＜２０．０
の条件を満足することを特徴とする請求項１〜７のいずれか１項に記載の超広角レンズ。
【請求項９】
前記第２レンズ群は、物体側から順に、両凸レンズと凹レンズとの貼り合わせからなる接合レンズと、負レンズと、両凸レンズとを有することを特徴とする請求項１〜８のいずれか１項に記載の超広角レンズ。
【請求項１０】
前記最も像側の前記両凸レンズは、像側の面が物体側の面より曲率半径が小さいことを特徴とする請求項９に記載の超広角レンズ。
【請求項１１】
前記第２レンズ群は、非球面レンズを有することを特徴とする請求項１〜１０のいずれか１項に記載の超広角レンズ。
【請求項１２】
前記回折光学面は、光軸に対して回転対称な構造であることを特徴とする請求項１〜１１のいずれか１項に記載の超広角レンズ。
【請求項１３】
前記回折光学面は、ガラスモールドで形成されていることを特徴とする請求項１〜１２のいずれか１項に記載の超広角レンズ。
【請求項１４】
前記回折光学面は、レンズ表面に薄い樹脂層を形成し、この樹脂層に回折格子構造を設けたものであることを特徴とする請求項１〜１３のいずれか１項に記載の超広角レンズ。
【請求項１５】
前記回折光学面は、複数の回折格子構造を重ねた複層構造であることを特徴とする請求項１〜１４のいずれか１項に記載の超広角レンズ。
【請求項１６】
前記回折光学面は、アッベ数が６５以下の光学ガラスのレンズ面上に形成されることを特徴とする請求項１〜１５のいずれか１項に記載の超広角レンズ。
【請求項１７】
一部のレンズ群を防振レンズ群として移動させることによって防振レンズシステムを構成していることを特徴とする請求項１〜１６のいずれか１項に記載の超広角レンズ。
【請求項１８】
近距離物体への合焦は、前記第２レンズ群のみを移動させて行うことを特徴とする請求項１〜１７のいずれか１項に記載の超広角レンズ。
【請求項１９】
近距離物体への合焦は、前記第２レンズ群を二つの正屈折力を有する部分群に分割して、相互の間隔を変えながら移動させて行うことを特徴とする請求項１〜１７のいずれか１項に記載の超広角レンズ。
【手続補正２】
【補正対象書類名】明細書
【補正対象項目名】０００６
【補正方法】変更
【補正の内容】
【０００６】
【課題を解決するための手段】
このような目的を達成するため、本発明に係る超広角レンズでは、撮影画角が９０度以上の超広角レンズにおいて、物体側から順に、少なくとも負メニスカスレンズ及び正レンズを含んで正の屈折力を有した第１レンズ群、絞り、少なくとも接合レンズ及び正レンズを含んで正の屈折力を有した第２レンズ群を備えるとともに、第１レンズ群及び第２レンズ群中のいずれかのレンズ面に回折光学面を有し、レンズ光学系全体の焦点距離をｆ、バックフォーカスをｂｆとしたときに、１．７＜ｂｆ／ｆ＜４．０の条件を満たす構成とする。
本発明に係る超広角レンズでは、物体側から順に、少なくとも負メニスカスレンズ及び正レンズを含んで正の屈折力を有した第１レンズ群、絞り、少なくとも接合レンズ及び正レンズを含んで正の屈折力を有した第２レンズ群を備え、像面に対して射出瞳が十分に遠いレトロフォーカスタイプの撮影レンズ系を構成することにより、電子画像機器に好適な大きいバックフォーカスを確保できるようになっている。また、第１レンズ群及び第２レンズ群中のいずれかのレンズ面に回折光学面を設けており、これにより構成レンズ数を少なくして鏡筒のみならず、装着するカメラ全体も軽量化することができるようになっている。そして更に、上記条件式を満足することにより、９０度以上の画角領域において回折光学面の外部から入る有害光を低減させており、９０度以上という超広角においても良好な結像性能を発揮させることができるようになっている。
【手続補正３】
【補正対象書類名】明細書
【補正対象項目名】０００７
【補正方法】変更
【補正の内容】
【０００７】
また、本発明に係る超広角レンズでは、回折光学面が第１レンズ群中のいずれかのレンズ面に設けるとともに、回折光学面の有効径をＣとしたときに、１．０＜Ｃ／ｆ＜７．０の条件を満たすようにすることが好ましい。このような構成であれば、回折光学面の製作が困難になるのを防止しつつ、フレア等による画質の低下を防ぐことができる。
また、本発明に係る超広角レンズでは、回折光学面を有するレンズの焦点距離をｆａとしたときに、１．０＜｜ｆａ／ｆ｜＜５．０の条件を満たすことが好ましい。このような構成であれば、回折光学面の製作が困難になるのを防止しつつ、コマ収差や像面湾曲収差の発生が甚大となるのを防いで結像性能を向上させることができる。
また、本発明に係る超広角レンズでは、上記回折光学面が上記負メニスカスレンズ（第１レンズ群中に設けられた負メニスカスレンズ）のレンズ面に形成されていることが好ましい。このような構成であれば、回折光学面を通過する光線角度をできるだけ小さくすることができる。
【手続補正４】
【補正対象書類名】明細書
【補正対象項目名】０００８
【補正方法】変更
【補正の内容】
【０００８】
更に、本発明に係る超広角レンズでは、第１レンズ群の最も物体側の位置に上記負メニスカスレンズが位置するとともに、この負メニスカスレンズの像側に隣接して接合負レンズが設けられており、負メニスカスレンズの最も物体側に位置するレンズ面は非球面形状に形成され、第１レンズ群の焦点距離をｆ１、絞りの前後に位置するレンズ面同士の光軸上での間隔をｄとしたときに、０．０３＜ｄ／ｆ１＜１．０の条件を満たすことが好ましい。このような構成であれば、全体のサイズが増大するのを防止しつつ、像面湾曲とコマ収差の補正を容易に行うことができるようになる。
なお、前記第1レンズ群の前記接合負レンズは、物体側に位置する両凹レンズとその像側に位置する両凸レンズとの貼り合わせで構成されるのが好ましい。
【手続補正５】
【補正対象書類名】明細書
【補正対象項目名】０００９
【補正方法】変更
【補正の内容】
【０００９】
前記第1レンズ群の最も物体側の負メニスカスレンズは、物体側の面の半径をｒ１、像側の面の半径をｒ２としたときに、１．０＜（ｒ１＋ｒ２）／（ｒ１−ｒ２）＜５．０  という条件を満足する構成であることが好ましい。
また、前記第1レンズ群の焦点距離をｆ１としたときに、１．０＜ｆ１／ｆ＜２０．０  という条件を満足する構成であることが好ましい。
さらに、前記第２レンズ群は、物体側から順に、両凸レンズと凹レンズとの貼り合わせからなる接合レンズと、負レンズと、両凸レンズとを有する構成であることが好ましい。
さらに、前記最も像側の前記両凸レンズは、像側の面が物体側の面より曲率半径が小さい構成であることが好ましい。
【手続補正６】
【補正対象書類名】明細書
【補正対象項目名】００１０
【補正方法】変更
【補正の内容】
【００１０】
また、前記第２レンズ群は、非球面レンズを有する構成であることが好ましい。
さらに、前記回折光学面は、光軸に対して回転対称な構造であることが好ましい。
さらに、前記回折光学面は、ガラスモールドで形成されていることが好ましい。
さらに、前記回折光学面は、レンズ表面に薄い樹脂層を形成し、この樹脂層に回折格子構造を設けた構成であることが好ましい。
さらに、前記回折光学面は、複数の回折格子構造を重ねた複層構造であることが好ましい。
さらに、前記回折光学面は、アッベ数が６５以下の光学ガラスのレンズ面上に形成されることが好ましい。
【手続補正７】
【補正対象書類名】明細書
【補正対象項目名】００１１
【補正方法】変更
【補正の内容】
【００１１】
なお、一部のレンズ群を防振レンズ群として移動させることによって防振レンズシステムを構成するのが好ましい。
さらに、近距離物体への合焦は、前記第２レンズ群のみを移動させて行う構成であることが好ましい。
さらに、近距離物体への合焦は、前記第２レンズ群を二つの正屈折力を有する部分群に分割して、相互の間隔を変えながら移動させて行う構成であることが好ましい。